(57)【要約】【課題】施工作業を容易にできかつ構成を簡素化できる開閉装置を提供する。【解決手段】開閉装置１は、開口部３を開閉する移動可能な開閉体４を備える。開閉装置１は、開閉体４の移動時にこの開閉体４を案内するガイドレール体９を備える。開閉装置１は、開口部３の閉鎖時にガイドレール体９との係合により開閉体４の移動を規制する無線式の電動ロック手段２１を備える。この電動ロック手段２１は、開閉体４に設ける。【選択図】        図１
2004360319.tif 000002
【特許請求の範囲】
【請求項１】
開口部を開閉する開閉体と、
この開閉体に設けられ、前記開口部の閉鎖時に前記開閉体をロックする無線式の電動ロック手段と
を備えることを特徴とする開閉装置。
【請求項２】
開口部を開閉する移動可能な開閉体と、
この開閉体の移動時にこの開閉体を案内するガイドレール体と、
前記開閉体に設けられ、前記開口部の閉鎖時に前記ガイドレール体との係合により前記開閉体の移動を規制する無線式の電動ロック手段と
を備えることを特徴とする開閉装置。
【請求項３】
電動ロック手段は、ロック位置およびロック解除位置間で移動する対をなす係合部材と、これら両係合部材を一斉に移動させる単一の駆動部とを有する
ことを特徴とする請求項１または２記載の開閉装置。
【請求項４】
ガイドレール体は、係合受け部を有し、
電動ロック手段は、ロック位置およびロック解除位置間で移動するように設けられロック位置に位置した状態で前記係合受け部との係合により開閉体の移動を規制する係合部材と、この係合部材を付勢してロック位置に位置させる付勢部材とを有し、
開口部を閉鎖する際には、前記係合部材が前記係合受け部との当接により前記付勢部材の付勢力に抗してロック解除位置に移動した後、前記係合部材が前記係合受け部との当接解除により前記付勢部材の付勢力を受けてロック位置に移動し、
前記開口部を開口させる際には、前記係合部材が無線信号の受信に基づき前記付勢部材の付勢力に抗してロック解除位置に移動する
ことを特徴とする請求項２記載の開閉装置。
【請求項５】
ガイドレール体は、このガイドレール体の長手方向に並んで位置する複数の係合受け部を有する
ことを特徴とする請求項４記載の開閉装置。
【発明の詳細な説明】
【０００１】
【発明の属する技術分野】
本発明は、施工作業を容易にでき、かつ、構成の簡素化を容易に図ることができる開閉装置に関する。
【０００２】
【従来の技術】
従来は、例えば開口部を開閉する昇降可能な開閉体と、開閉体の昇降時にこの開閉体の側端部を案内する左右１対のガイドレール体と、各ガイドレール体の下端部内に嵌合配設された有線式の電動ロック手段とを備える窓シャッタ等の開閉装置が知られている（例えば、特許文献１参照。）。
【０００３】
【特許文献１】
実公平６−３１００号公報（第１頁、第１図）
【０００４】
【発明が解決しようとする課題】
しかしながら、上記従来の開閉装置では、電動ロック手段の配線作業が必要なため、施工作業が煩雑であり、また、電動ロック手段が必ず２つ必要なため、構成が複雑となりがちである。
【０００５】
本発明は、このような点に鑑みなされたもので、施工作業を容易にでき、かつ、構成の簡素化を容易に図ることができる開閉装置を提供することを目的とする。
【０００６】
【課題を解決するための手段】
請求項１記載の開閉装置は、開口部を開閉する開閉体と、この開閉体に設けられ、前記開口部の閉鎖時に前記開閉体をロックする無線式の電動ロック手段とを備えるものである。
【０００７】
そして、無線式の電動ロック手段は煩雑な配線作業が不要なため、施工作業が容易になり、かつ、無線式の電動ロック手段は必ずしも２つ必要ではないため、構成の簡素化が容易に図られる。
【０００８】
請求項２記載の開閉装置は、開口部を開閉する移動可能な開閉体と、この開閉体の移動時にこの開閉体を案内するガイドレール体と、前記開閉体に設けられ、前記開口部の閉鎖時に前記ガイドレール体との係合により前記開閉体の移動を規制する無線式の電動ロック手段とを備えるものである。
【０００９】
そして、無線式の電動ロック手段は煩雑な配線作業が不要なため、施工作業が容易になり、かつ、無線式の電動ロック手段は必ずしも２つ必要ではないため、構成の簡素化が容易に図られ、しかも、ガイドレール体を電動ロック手段に応じた形状にする必要がなく、ガイドレール体の構成が簡単になる。
【００１０】
請求項３記載の開閉装置は、請求項１または２記載の開閉装置において、電動ロック手段は、ロック位置およびロック解除位置間で移動する対をなす係合部材と、これら両係合部材を一斉に移動させる単一の駆動部とを有するものである。
【００１１】
そして、電動ロック手段が対をなす係合部材とこれら両係合部材を一斉に移動させる単一の駆動部とを有するものであるから、構成の簡素化が適切に図られる。
【００１２】
請求項４記載の開閉装置は、請求項２記載の開閉装置において、ガイドレール体は、係合受け部を有し、電動ロック手段は、ロック位置およびロック解除位置間で移動するように設けられロック位置に位置した状態で前記係合受け部との係合により開閉体の移動を規制する係合部材と、この係合部材を付勢してロック位置に位置させる付勢部材とを有し、開口部を閉鎖する際には、前記係合部材が前記係合受け部との当接により前記付勢部材の付勢力に抗してロック解除位置に移動した後、前記係合部材が前記係合受け部との当接解除により前記付勢部材の付勢力を受けてロック位置に移動し、前記開口部を開口させる際には、前記係合部材が無線信号の受信に基づき前記付勢部材の付勢力に抗してロック解除位置に移動するものである。
【００１３】
そして、無線式の電動ロック手段の構成が簡単であるにもかかわらず、開閉体のロックおよびロック解除が適切に行われる。
【００１４】
請求項５記載の開閉装置は、請求項４記載の開閉装置において、ガイドレール体は、このガイドレール体の長手方向に並んで位置する複数の係合受け部を有するものである。
【００１５】
そして、ガイドレール体がこのガイドレール体の長手方向に並んで位置する複数の係合受け部を有するものであるから、開閉体を所望位置でロックすることが可能である。
【００１６】
【発明の実施の形態】
以下、本発明の開閉装置の一実施の形態の構成を図面を参照して説明する。
【００１７】
図１において、１は窓シャッタ等の開閉装置で、この開閉装置１は、例えば建物等の構築構造物の躯体２の窓部等の開口部３に沿って昇降してこの開口部３を開閉する移動可能である昇降可能なシャッタカーテン等の開閉体４を備えている。この開閉体４は、互いに回動自在に連結された複数の板状のスラット５と、下端のスラット５に取り付けられた中空状の幅木（座板）６とを有している。
【００１８】
また、開閉装置１は、開口部３の開口時に開閉体４が巻体（図示せず）に巻き取られて収容される略箱状のシャッタボックス等の収容体８を備えている。
【００１９】
さらに、開閉装置１は、互いに離間対向して位置して開閉体４の昇降時にこの開閉体４を案内する上下方向に長手状をなす左右１対のガイドレール体９を備え、これら両ガイドレール体９の下端側間にわたって下枠体１０が配設されている。
【００２０】
各ガイドレール体９は、図２および図３に示されるように、躯体２に取り付けられた上下方向に長手状のレール下地枠（外枠）１１と、このレール下地枠１１にこのレール下地枠１１に沿って取り付けられた上下方向に長手状のレール枠１２とを有している。
【００２１】
このレール枠１２は、開口部３に向って開口した断面略コ字状に形成され、レール枠１２の略全長にわたって位置し、開閉体４の昇降時にこの開閉体４の側端部を案内するガイド部１４を有している。
【００２２】
また、このレール枠１２は、例えば１つの矩形状のロック用孔１５が開口形成された板状の板部１６を下端側のみに有している。この板部１６は、ガイド部１４の下端部内面にロック用孔１５がガイド部１４の開口１４ａと対向するように取り付けられている。そして、この板部１６のうちロック用孔１５に臨んでこのロック用孔１５の上方に位置する部分が、係合受け部１６ａとなっている。
【００２３】
また、開閉装置１は、開口部３の閉鎖時にガイドレール体９の係合受け部１６ａとの係合により開閉体４の開移動方向への移動である上昇を規制する１つの無線式の電動ロック手段（電気仕掛けの施解錠機構）２１を備えている。
【００２４】
この電動ロック手段２１は、開口部３の閉鎖時に開閉体４を所定位置である下限位置にロックするもので、開閉体４の閉移動方向先端側である下端側にこの開閉体４の内部に収容された状態で設けられている。すなわち、例えば電動ロック手段２１は、予め工場で開閉体４の下端側内に組み込まれたもので、その略全体が開閉体４の幅木６内に設けられている。
【００２５】
この電動ロック手段２１は、開閉体４の下端側における幅方向中央部に位置する１つのロック本体２３を有している。このロック本体２３は、図示しないソレノイド等の単一の駆動部および太陽電池等の電源部等にて構成されている。
【００２６】
そして、このロック本体２３には、開閉体４の内部に収容され開閉体４の下端側における幅方向一端近傍に位置する受信機２４が電気的に接続されている。この受信機２４は、収容体８内に配設された送信機２５からの無線信号（例えば電波または光等による信号）を受信する。
【００２７】
この送信機２５は、収容体８内に配設された開閉機２６に電気的に接続されている。この開閉機２６は、開閉体４を昇降させる電動モータ等の駆動部およびこの駆動部等を制御する制御部等にて構成されている。
【００２８】
また、この電動ロック手段２１は、ロック位置およびロック解除位置間で移動するように設けられロック位置に位置した状態で係合受け部１６ａとの係合により開閉体４の上昇を規制する左右方向に長手状で略板状をなす左右１対の係合部材３１と、この各係合部材３１を付勢してロック位置に位置させるスプリング等の付勢部材（図示せず）とを有している。
【００２９】
各係合部材３１の基端側は、両係合部材３１を受信機２４による無線信号の受信に基づきロック解除位置に一斉に移動させる中央側のロック本体２３の単一の駆動部（アクチュエータ）に接続されている。
【００３０】
また、各係合部材３１の先端側が係合受け部１６ａに対して係脱可能な係合部３３となっている。そして、この係合部３３は、開閉体４の下端部側面から突出し、対応するガイドレール体９のレール枠１２のガイド部１４内に位置する。また、各係合部材３１の係合部３３の先端面は、下方を向いた略円弧面状の当接面３２にて構成されている。
【００３１】
そして、各係合部材３１は、開口部３を閉鎖する際には、対応するガイドレール体９のレール枠１２の係合受け部１６ａとの当接により付勢部材の付勢力に抗してロック解除位置に移動した後、その係合受け部１６ａとの当接解除により付勢部材の付勢力を受けてロック位置に移動してロック用孔１５に入り込み、その一方、開口部３を開口させる際には、受信機２４による送信機２５からの無線信号の受信に基づくロック本体２３の駆動部の作動により付勢部材の付勢力に抗してロック解除位置に移動してロック用孔１５から脱出するようになっている。
【００３２】
なお、無線式の電動ロック手段２１は、ロック本体２３、受信機２４、係合部材３１および付勢部材にて構成されている。
【００３３】
次に、前記開閉装置１の動作等を説明する。
【００３４】
開口部３を閉鎖する場合、図示しない操作ボックスの閉スイッチがオンされると、開閉機２６の制御により開閉体４が巻体から巻き戻されて下降する。
【００３５】
この開閉体４の下降途中で、電動ロック手段２１の各係合部材３１は、図２の２点鎖線で示すように、開閉体４の下降に伴って係合部３３の当接面３２が係合受け部１６ａに当接して押されることにより、付勢部材の付勢力に抗して左右方向に沿って突出量が減少する方向に向ってロック解除位置に移動する。
【００３６】
その後、開閉体４のさらなる下降により当接面３２が係合受け部１６ａから離れて係合部３３と係合受け部１６ａとの当接が解除されると、各係合部材３１は、付勢部材の付勢力を受けて左右方向に沿って突出量が増大する方向に向ってロック位置に移動し、各係合部材３１の係合部３３がロック用孔１５に入り込む。
【００３７】
こうして、開閉体４にて開口部３が閉鎖された状態となる。この状態で、開閉体４を持ち上げようとしても、電動ロック手段２１の各係合部材３１のロック用孔１５に挿通された係合部３３と各ガイドレール体９の係合受け部１６ａとが係合するため、開閉体４の上昇が規制され、開口部３の閉鎖が維持される。
【００３８】
一方、開口部３を開口させる場合、図示しない操作ボックスの開スイッチがオンされると、まず、開閉機２６の制御により送信機２５からロック解除信号である無線信号が送信される。
【００３９】
そして、開閉体４側の電動ロック手段２１の受信機２４がその収容体８側の送信機２５からの無線信号を受信すると、ロック本体２３の駆動部が作動する。
【００４０】
このロック本体２３の単一の駆動部が作動すると、各係合部材３１が付勢部材の付勢力に抗して左右方向に沿って突出量が減少する方向に向ってロック解除位置に移動し、その各係合部材３１の係合部３３がロック用孔１５から脱出し、開閉体４の上昇が規制されない状態となる。
【００４１】
その後、開閉機２６の制御により開閉体４が巻体にて巻き取られて上昇し、収容体８内に収容され、開口部３が開口した状態となる。なお、このとき、開閉体４が適切に上昇するよう、各係合部材３１がタイマー等の保持手段にて予め設定された所定時間だけロック解除位置に保持されるようになっている。
【００４２】
そして、この開閉装置１によれば、無線式の電動ロック手段２１を開閉体４の下端側内に組み込まれたものであるから、施工現場で電動ロック手段２１と開閉機２６とを配線で接続する配線作業をする必要がなく、開閉装置１の施工作業を容易にでき、よって、施工時間の短縮化を図ることができ、しかも、配線作業のし忘れによる施工ミス等も確実に防止できる。
【００４３】
また、無線式の電動ロック手段２１は、開閉体４の下端側に１つ設ければ足りるため、必ずしも２つ必要ではなく、開閉装置１の構成の簡素化を容易に図ることができる。なお、開口部３が広く、開閉体４の幅寸法が大きい場合には、ロック位置およびロック解除位置間で移動する１つの係合部材を有する無線式の電動ロック手段を開閉体４の両側にそれぞれ設けてもよい。
【００４４】
さらに、各ガイドレール体９を無線式の電動ロック手段２１に応じた形状にする必要がなく、ガイドレール体９の構成を簡単にでき、ガイドレール体９の製造コストを低減できる。
【００４５】
なお、開閉装置１は、１つのロック用孔１５に対応した１つの係合受け部１６ａを下端側のみに有するガイドレール体９を備えるものには限定されず、例えば図４に示すように、ガイドレール体９の長手方向に並んで互いに等間隔をおいて位置する複数の係合受け部１６ａを有するガイドレール体９を備えるものでもよい。
【００４６】
すなわち、この図４に示すガイドレール体９は、レール下地枠１１に取り付けられた長手状のレール枠１２を有し、このレール枠１２のガイド部１４の内面に細長板状の板部１６がガイド部１４の略全長にわたって取り付けられ、この板部１６に複数のロック用孔１５が長手方向に並んで互いに等間隔をおいて開口形成され、各ロック用孔１５がガイド部１４の開口１４ａと対向した状態となっている。そして、この板部１６のうち各ロック用孔１５に臨んでこの各ロック用孔１５の上方に位置する部分が、それぞれ係合受け部１６ａとなっている。
【００４７】
そして、この図４に示すガイドレール体９を備えた開閉装置１では、開閉体４を下限位置や中間位置で選択的にロックすることができるため、開閉体４を所望位置でロックでき、よって開口部３の開口量を調節できる。また、デッキ等の後付けにより開口部３の開口量の変更が生じた場合に、ガイドレール体９全体を取り外して交換する必要がなく、ガイドレール体９の下端側を所望長さ切断除去してガイドレール体９の長さを短くすればよく、開口部３の開口量の変更に容易に対応できる。
【００４８】
また、開閉装置１は、無線式の電動ロック手段２１に加えて、例えば開口部３に位置する障害物を検知するための無線式の障害物検知手段、開閉体４の下限位置を検知するための無線式の開閉体下限検知手段、開閉体４に形成された窓部を開閉する扉を作動させる無線式の扉駆動手段、開閉体４に取り付けられた電飾を作動させる無線式の電飾駆動手段等を開閉体４に設けたもの等でもよい。この場合、必要に応じて受信機２４および送信機２５の両方を無線信号を送受信可能な送受信機にする。
【００４９】
さらに、例えば左右両側のガイドレール体９を備えず、建物の躯体２に形成した係合受け部と電動ロック手段２１の係合部３３との係合により開閉体４の上昇を規制するようにしてもよい。
【００５０】
また、開閉装置１は、建物の躯体２の開口部３周縁部分に固定された窓シャッタには限定されず、例えばその他の開口部周縁部分に固定されたその他のシャッタ装置、雨戸、引戸等のドア装置、ブラインド装置、スクリーン装置等、或いは、これら装置のうちの同種または異種を複数並設したものでもよい。
【００５１】
さらに、開閉装置１は、無線式の電動ロック手段２１を開閉体４の下端位置に設けた構成には限定されず、例えば電動ロック手段２１を開閉体４の中間位置に設けた構成等でもよい。
【００５２】
また、開閉装置１は、開閉体４の昇降が自動的に行われる電動式のものには限定されず、例えば開閉体４の昇降を手動で行う手動式のもの等でもよい。そして、手動式の開閉装置１では、例えばロック解除の際に操作手段が操作されると、ロック解除信号が送信され、このロック解除信号の受信に基づき各係合部材３１がタイマー等の保持手段にて予め設定された所定時間だけロック解除位置に保持されるようになっている。
【００５３】
さらに、受信機２４は、開閉体４の任意の位置に配置してよいが、ロック本体２３の近傍位置に配置することが好ましい。また、開閉体４の内部には収容されず、開閉体４の表面に露出して配置してもよい。
【００５４】
【発明の効果】
請求項１の発明によれば、無線式の電動ロック手段は煩雑な配線作業が不要なため、施工作業を容易にでき、かつ、無線式の電動ロック手段は必ずしも２つ必要ではないため、構成の簡素化を容易に図ることができる。
【００５５】
請求項２の発明によれば、無線式の電動ロック手段は煩雑な配線作業が不要なため、施工作業を容易にでき、かつ、無線式の電動ロック手段は必ずしも２つ必要ではないため、構成の簡素化を容易に図ることができ、しかも、ガイドレール体を電動ロック手段に応じた形状にする必要がなく、ガイドレール体の構成を簡単にできる。
【００５６】
請求項３の発明によれば、電動ロック手段が対をなす係合部材とこれら両係合部材を一斉に移動させる単一の駆動部とを有するものであるから、構成の簡素化を適切に図ることができる。
【００５７】
請求項４の発明によれば、無線式の電動ロック手段の構成が簡単であるにもかかわらず、開閉体のロックおよびロック解除を適切に行うことができる。
【００５８】
請求項５の発明によれば、ガイドレール体がこのガイドレール体の長手方向に並んで位置する複数の係合受け部を有するものであるから、開閉体を所望位置でロックすることができる。
【図面の簡単な説明】
【図１】本発明の開閉装置の一実施の形態を示す正面図である。
【図２】同上開閉装置の要部を示す一部省略正面図である。
【図３】同上開閉装置のガイドレール体の横断面図である。
【図４】本発明の開閉装置の他の実施の形態のガイドレール体の縦断面図である。
【符号の説明】
１    開閉装置
３    開口部
４    開閉体
９    ガイドレール体
１６ａ    係合受け部
２１    無線式の電動ロック手段
３１    係合部材
【図１】
2004360319.tif 000003
【図２】
2004360319.tif 000004
【図３】
2004360319.tif 000005
【図４】
2004360319.tif 000006